(57)【要約】【課題】インクジェットヘッドの取付構造において、インクジェットヘッドと印刷対象物とが衝突した場合でも、インクジェットヘッドや印刷対象物が損傷されにくくなるようにする。【解決手段】立体形状を有するワーク１３にインクを吐出するインクジェットヘッド５を、ワーク１３に対して相対移動可能に設けられた梁部３ｃに取り付けるインクジェットヘッドの取付構造であって、インクジェットヘッド５および梁部３ｃを、インクジェットヘッド５に作用する衝撃力を吸収する衝撃吸収部材４を介して連結した取付構造とする。【選択図】図１
2011062589.tif 000002
【特許請求の範囲】
【請求項１】
立体形状を有する印刷対象物にインクを吐出するインクジェットヘッドを、前記印刷対象物に対して相対移動可能に設けられた相対移動部に取り付けるインクジェットヘッドの取付構造であって、
前記インクジェットヘッドおよび前記相対移動部を、前記インクジェットヘッドに作用する衝撃力を吸収する衝撃吸収部材を介して連結したことを特徴とするインクジェットヘッドの取付構造。
【請求項２】
前記衝撃吸収部材は、前記衝撃力によって変形することにより該衝撃力を吸収する部材であることを特徴とする請求項１に記載のインクジェットヘッドの取付構造。
【請求項３】
前記衝撃吸収部材は、前記衝撃力によって塑性変形する部材であることを特徴とする請求項２に記載のインクジェットヘッドの取付構造。
【請求項４】
前記衝撃吸収部材は、前記衝撃力によって弾性変形する部材であることを特徴とする請求項２に記載のインクジェットヘッドの取付構造。
【請求項５】
前記衝撃吸収部材は、部材本体の一定位置に、前記衝撃力を吸収する衝撃吸収部を備えることを特徴とする請求項１〜４のいずれかに記載のインクジェットヘッドの取付構造。
【請求項６】
前記衝撃吸収部材は、
前記相対移動部に基端部が固定された固定部材と、
前記インクジェットヘッドに基端部が固定された移動部材との２部材からなり、
前記固定部材の先端部および前記移動部材の先端部が、前記衝撃力によって相対移動可能となるように吸着されていることを特徴とする請求項１に記載のインクジェットヘッドの取付構造。
【請求項７】
前記固定部材の先端部および前記移動部材の先端部は、磁力によって吸着されていることを特徴とする請求項６に記載のインクジェットヘッドの取付構造。
【請求項８】
前記固定部材の先端部および前記移動部材の先端部は、エア吸着によって吸着されていることを特徴とする請求項６に記載のインクジェットヘッドの取付構造。
【発明の詳細な説明】
【技術分野】
【０００１】
本発明は、立体物に描画を行うインクジェット装置のインクジェットヘッドの取付構造に関する。
【背景技術】
【０００２】
従来、立体形状を有する印刷対象物の表面に描画を行うインクジェット装置が知られている。
例えば、特許文献１には、このようなインクジェット装置として、印刷対象物に対して印刷用のインクを吐出する吐出ノズルを備えた吐出ヘッド（インクジェットヘッド）と、所定の主走査方向に沿って吐出ヘッドを連続的に移動させる主走査方向駆動手段と、主走査方向に直交する副走査方向に沿って吐出ヘッドを段階的に移動させる副走査方向駆動手段と、吐出ノズルの位置に対応する印刷対象物の傾斜に応じて、主走査方向及び副走査方向のそれぞれへの吐出ノズルの移動過程におけるインクの吐出パターンを制御する制御手段と、を備える印刷装置が記載されている。
この印刷装置では、印刷対象物を配置するステージ上で副走査方向に移動するスタンドと、このスタンドの上部側に副走査方向と直交する主走査方向に延ばして設置されたレールと、このレール上を主走査方向に移動可能に設けられたヘッド保持機構とを有し、このヘッド保持機構の下端側に、主走査方向および副走査方向に直交する軸線回りに回転可能に設けられた回転軸を介して、吐出ヘッドが取り付けられている。
このため、吐出ヘッドは、ヘッド保持機構とともに、ステージと一定距離だけ離れた平面内で２軸方向に移動しつつ、インクを吐出することで、ステージ上の印刷対象物に印刷を行う。
そして、印刷対象物の立体形状の傾斜に応じて吐出パターンを制御することで、印刷対象物の表面における描画パターンの歪みを防止している。
【先行技術文献】
【特許文献】
【０００３】
【特許文献１】特開２００１−２３９６５２号公報
【発明の概要】
【発明が解決しようとする課題】
【０００４】
しかしながら、上記のような従来のインクジェット装置には、以下のような問題があった。
特許文献１に記載の印刷装置では、印刷対象物の立体形状に応じて吐出パターンを変えることで描画パターンの歪みは防止できるものの、吐出ヘッドとステージとの距離を一定に保って描画するので、インクの飛距離の変化による印字ドット径の変化や、インクの着地位置精度の変化は防止できないため、印刷対象物の立体形状によっては印刷画質が低下してしまうという問題がある。例えば、微細な配線パターンを描画するような場合、配線パターンの線幅が場所により変化してしまうおそれがある。
このような問題を回避して、高精度な描画を行うため、インクジェットヘッドを印刷対象物に近接させるとともに印刷対象物との距離が一定となるように相対移動させることが考えられる。この場合、インクジェットヘッドと印刷対象物とが衝突することがないように、印刷対象物の形状に応じたインクジェットヘッドの相対移動経路を設定することが必要となる。
この相対移動経路は、印刷対象物の形状データ、例えば印刷対象物の製造に用いたＣＡＤデータなどに基づいて計算により求めることができる。ただし、インクジェットヘッドと印刷対象物との間の距離が小さく、印刷対象物の立体形状の変化が大きい場合には、印刷対象物の製造誤差やステージへの取付誤差、インクジェットヘッドと印刷対象物とを相対移動させる移動機構の移動誤差などの不測の誤差により、インクジェットヘッドと印刷対象物とが衝突する可能性がある。特に、より高精度の描画を行おうとすれば、インクジェットヘッドを印刷対象物により近づける必要があるため、このような衝突のリスクが増大していくという問題がある。
特許文献１に記載の技術のようなインクジェットヘッドの取付構造では、万一、インクジェットヘッドと印刷対象物とが衝突した場合、衝突時の衝撃によってインクジェットヘッドやその周辺部、あるいは印刷対象物が破損し、インクジェット装置や印刷対象物が使用不可能になってしまうという問題がある。
【０００５】
本発明は、上記のような問題に鑑みてなされたものであり、インクジェットヘッドと印刷対象物とが衝突した場合でも、インクジェットヘッドや印刷対象物が損傷されにくくなるインクジェットヘッドの取付構造を提供することを目的とする。
【課題を解決するための手段】
【０００６】
上記の課題を解決するために、本発明のインクジェットヘッドの取付構造は、立体形状を有する印刷対象物にインクを吐出するインクジェットヘッドを、前記印刷対象物に対して相対移動可能に設けられた相対移動部に取り付けるインクジェットヘッドの取付構造であって、前記インクジェットヘッドおよび前記相対移動部を、前記インクジェットヘッドに作用する衝撃力を吸収する衝撃吸収部材を介して連結した構成とする。
この発明によれば、インクジェットヘッドを、衝撃吸収部材を介して相対移動部に連結するので、インクジェットヘッドに衝撃力が作用した場合に、インクジェットヘッドから伝達された衝撃力が衝撃吸収部材によって吸収される。このため、インクジェットヘッドの損傷のおそれを低減することができる。また、衝撃力が印刷対象物から作用する場合には、インクジェットヘッドからの反作用が低減されるので、印刷対象物の損傷のおそれを低減することができる。
【０００７】
また、本発明のインクジェットヘッドの取付構造では、前記衝撃吸収部材は、前記衝撃力によって変形することにより該衝撃力を吸収する部材であることが好ましい。
この場合、衝撃吸収部材は、変形することによって衝撃力を吸収するので、衝撃吸収部材が破砕されたりすることなく衝撃を吸収することができる。
【０００８】
また、本発明の衝撃吸収部材が変形することにより衝撃力を吸収するインクジェットヘッドの取付構造では、前記衝撃吸収部材は、前記衝撃力によって塑性変形する部材であることが好ましい。
この場合、衝撃吸収部材が塑性変形するので、衝撃力によるエネルギーを散逸させることができる。このため衝撃力を効率的に低減することができる。
【０００９】
また、本発明の衝撃吸収部材が変形することにより衝撃力を吸収するインクジェットヘッドの取付構造では、前記衝撃吸収部材は、前記衝撃力によって弾性変形する部材であることが好ましい。
この場合、衝撃吸収部材が弾性変形するため、衝撃吸収部材が再使用可能となる。
【００１０】
また、本発明のインクジェットヘッドの取付構造では、前記衝撃吸収部材は、部材本体の一定位置に、前記衝撃力を吸収する衝撃吸収部を備えることが好ましい。
この場合、衝撃吸収部材の部材本体の一定位置に設けられた衝撃吸収部において、衝撃力が吸収されるので、衝撃吸収後の衝撃吸収部材の変形した形状や、インクジェットヘッドの位置変化が予測しやすくなり、衝撃吸収部材の変形によるインクジェット装置本体への２次的な損傷が防止しやすくなる。
【００１１】
また、本発明のインクジェットヘッドの取付構造では、前記衝撃吸収部材は、前記相対移動部に基端部が固定された固定部材と、前記インクジェットヘッドに基端部が固定された移動部材との２部材からなり、前記固定部材の先端部および前記移動部材の先端部が、前記衝撃力によって相対移動可能となるように吸着されていることが好ましい。
この場合、インクジェットヘッドに衝撃力が作用すると、移動部材が、固定部材と吸着された先端部において、固定部材の先端部に対して相対移動され、これにより、衝撃力が吸収される。
【００１２】
また、本発明の衝撃吸収部材が固定部材と移動部材との２部材からなるインクジェットヘッドの取付構造では、前記固定部材の先端部および前記移動部材の先端部は、磁力によって吸着されていることが好ましい。
この場合、固定部材の先端部および移動部材の先端部は、磁力によって吸着されているので、衝撃力によって互いに相対移動しても初期の吸着位置に容易に戻すことができるので、衝撃吸収部材が再使用可能となる。
【００１３】
また、本発明の衝撃吸収部材が固定部材と移動部材との２部材からなるインクジェットヘッドの取付構造では、前記固定部材の先端部および前記移動部材の先端部は、エア吸着によって吸着されていることが好ましい。
この場合、固定部材の先端部および移動部材の先端部は、エア吸着によって吸着されているので、衝撃力によって互いに相対移動しても吸着が外れても、容易に再吸着させることができるので、衝撃吸収部材が再使用可能となる。
【発明の効果】
【００１４】
本発明のインクジェットヘッドの取付構造によれば、インクジェットヘッドが衝撃吸収部材を介して相対移動部に連結されているため、衝撃吸収部材によってインクジェットヘッドに作用する衝撃力が吸収され、インクジェットヘッドと印刷対象物とが衝突した場合でも、インクジェットヘッドや印刷対象物が損傷されにくくなるという効果を奏する。
【図面の簡単な説明】
【００１５】
【図１】本発明の第１の実施形態に係るインクジェットヘッドの取付構造を備えるインクジェット装置の概略構成を示す正面図である。
【図２】図１のＡ視の側面図である。
【図３】本発明の第１の実施形態に係るインクジェットヘッドの取付構造を備えるインクジェット装置の印刷対象物の一例の印刷前および印刷後の様子を示す模式的な斜視図である。
【図４】本発明の第１の実施形態に係るインクジェットヘッドの取付構造のインクジェットヘッドの側面視の部分断面図、およびそのＢ視の下面図である。
【図５】本発明の第１の実施形態に係るインクジェットヘッドの取付構造に用いる衝撃吸収部材の取付形態を示す模式的な正面図および衝撃吸収時の様子を示す模式的な正面図である。
【図６】本発明の第１の実施形態に係るインクジェットヘッドの取付構造を備えるインクジェット装置の動作を順次説明する動作説明図である。
【図７】図６に続く動作を順次説明する動作説明図である。
【図８】本発明の第１の実施形態の変形例に係るインクジェットヘッドの取付構造に用いる衝撃吸収部材の取付形態を示す模式的な正面図および衝撃吸収時の様子を示す模式的な正面図である。
【図９】本発明の第２の実施形態に係るインクジェットヘッドの取付構造に用いる衝撃吸収部材の取付形態を示す模式的な正面図、および衝撃吸収時の様子を示す模式的な正面図である。
【図１０】本発明の第２の実施形態の変形例に係るインクジェットヘッドの取付構造に用いる衝撃吸収部材の取付形態を示す模式的な正面図、および衝撃吸収時の様子を示す模式的な正面図である。
【図１１】本発明の第３の実施形態に係るインクジェットヘッドの取付構造に用いる衝撃吸収部材の取付形態を示す模式的な正面図、および衝撃吸収時の様子を示す模式的な正面図である。
【図１２】本発明の第４の実施形態に係るインクジェットヘッドの取付構造に用いる衝撃吸収部材の取付形態を示す模式的な正面図、および衝撃吸収時の様子を示す模式的な正面図である。
【発明を実施するための形態】
【００１６】
以下では、本発明の実施形態について添付図面を参照して説明する。すべての図面において、実施形態が異なる場合であっても、同一または相当する部材には同一の符号を付し、共通する説明は省略する。
【００１７】
［第１の実施形態］
本発明の第１の実施形態に係るインクジェットヘッドの取付構造について説明する。
図１は、本発明の第１の実施形態に係るインクジェットヘッドの取付構造を備えるインクジェット装置の概略構成を示す正面図である。図２は、図１のＡ視の側面図である。図３（ａ）、（ｂ）は、それぞれ本発明の第１の実施形態に係るインクジェットヘッドの取付構造を備えるインクジェット装置の印刷対象物の一例の印刷前および印刷後の様子を示す模式的な斜視図である。図４（ａ）は、本発明の第１の実施形態に係るインクジェットヘッドの取付構造のインクジェットヘッドの側面視の部分断面図である。図４（ｂ）は、図４（ａ）のＢ視の下面図である。図５（ａ）、（ｂ）は、本発明の第１の実施形態に係るインクジェットヘッドの取付構造に用いる衝撃吸収部材の取付形態を示す模式的な正面図、および衝撃吸収時の様子を示す模式的な正面図である。
【００１８】
本実施形態のインクジェットヘッドの取付構造を備えるインクジェット装置１は、図１、２に示すように、立体形状を有する印刷対象物であるワーク１３の表面に、インクジェット方式の描画により印刷を行うものである。
本実施形態では、図３（ａ）に示すように、一例として、ワーク１３が、帯状の平板を長手方向の２箇所で直角に折り曲げられた全体としてＳ字状断面を有する部材からなる場合の例で説明する。
すなわち、ワーク１３は、平面部１３ａと、平面部１３ａの端部の屈曲部１３ｂで９０度に折り曲げられた平面部１３ｃと、屈曲部１３ｂと反対側の平面部１３ｃの端部に形成された屈曲部１３ｄで平面部１３ａと反対側に９０度折り曲げられた平面部１３ｅとから構成される。
また、ワーク１３に描画される描画パターンの例としては、図３（ｂ）に示すように、ワーク１３の表面上で、平面部１３ａ、１３ｃ、１３ｅにわたって、２箇所の屈曲部１３ｂ、１３ｄを横断する複数の線状のパターンからなる配線１４を描画する場合の例で説明する。
配線１４は、例えば、ナノサイズの金属粒子を溶媒中に均一に分散させた液体（以下、「金属ナノインク」という）で描画し、描画後にワーク１３とともに加熱処理して、乾燥、焼結される。
【００１９】
インクジェット装置１の概略構成は、図１、２に示すように、台座２、門型支柱３、Ｘ軸移動ステージ６、Ｙ軸移動ステージ７、Ｚ軸移動ステージ１０、回転ステージ１１、ワーク保持部１２、インクジェットヘッド５、および衝撃吸収部材４を備える。また、特に図示しないが、Ｘ軸移動ステージ６、Ｙ軸移動ステージ７、Ｚ軸移動ステージ１０、回転ステージ１１、ワーク保持部１２、およびインクジェットヘッド５の動作を制御するための制御部を備えている。
【００２０】
台座２は、水平面上に配置された装置の基台である。
門型支柱３は、台座２の上面に互いに間隔を空けて立設された支柱部３ａ、３ｂと、これら支柱部３ａ、３ｂの上端部に架設された梁部３ｃとからなる正面視門型の支持部材である。梁部３ｃの中央部の下端側には、衝撃吸収部材４の一端部が固定されている。
【００２１】
Ｘ軸移動ステージ６は、門型支柱３の下方側の台座２上に設置され、制御部からの制御信号に基づいて、水平方向の１軸であるＸ軸（図１の左右方向）に沿って移動可能とされている。
Ｙ軸移動ステージ７は、Ｘ軸移動ステージ６のステージ上面に設置され、制御部からの制御信号に基づいて、Ｘ軸移動ステージ６の移動方向（Ｘ軸に沿う方向）と直交する水平方向の１軸であるＹ軸（図１の紙面垂直方向）に沿って移動可能とされている。
Ｙ軸移動ステージ７のステージ上面には、四角柱状のＺ軸支柱８が立設されており、このＺ軸支柱８の側面に、Ｚ軸移動ステージ１０をＸ軸およびＹ軸に直交するＺ軸（鉛直方向）に沿って移動可能に支持するＺ軸スライド９が取り付けられている。
Ｚ軸移動ステージ１０は、Ｚ軸スライド９に可動支持され、制御部からの制御信号に基づいて、Ｚ軸に沿う方向に移動可能とされている。
回転ステージ１１は、Ｚ軸移動ステージ１０のＺＸ平面に平行なステージ面に設置され、制御部からの制御信号に基づいて、Ｙ軸に平行な回転中心軸Ｃ回りに回転可能とされている。
【００２２】
ワーク保持部１２は、ワーク１３を回転ステージ１１の回転中心軸Ｃ上の一定位置に保持するもので、本実施形態では、先端部にワーク１３を把持する把持機構が設けられている。
このような構成により、制御部からの制御信号に基づいて、Ｘ軸移動ステージ６、Ｙ軸移動ステージ７、Ｚ軸移動ステージ１０、および回転ステージ１１の各移動量、回転量を制御することで、ワーク保持部１２に把持されたワーク１３を、台座２上で、Ｘ軸、Ｙ軸、Ｚ軸の３軸方向に沿って平行移動させるとともに、その移動位置で、回転中心軸Ｃ回りに回転移動させることができるようになっている。
【００２３】
次に、インクジェットヘッド５および衝撃吸収部材４の構成について、インクジェットヘッド５の取付構造とともに説明する。
インクジェットヘッド５の概略構成は、図４（ａ）、（ｂ）に示すように、インクを吐出するインクジェットヘッド本体５ａと、インクジェットヘッド本体５ａを保持して、衝撃吸収部材４に固定するヘッド固定カートリッジ５ｄとを備える。
【００２４】
インクジェットヘッド本体５ａの外形は略直方体状とされ、内部に一定量のインクを貯留するインク室（不図示）を備えており、１つの側面に、インクを吐出するインク吐出口５ｃ（図４（ｂ）参照）が設けられ、インク吐出口５ｃが設けられた側面に隣接する１つの側面に、インク室にインクを充填するためのチューブ状のインク供給部５ｂが設けられている。
インク供給部５ｂは、例えば、インク注入治具の先端に設けられた注射器状の注入部が挿入可能とされ、インク注入治具によって、描画に必要なインクを、インク室内部に充填できるようになっている。
【００２５】
また、インクジェットヘッド本体５ａは、インク室に充填されたインクをインク吐出口５ｃから吐出させるインク吐出機構を内蔵している。
このインク吐出機構は、インク供給部５ｂが設けられたとの同じ側面から側方に延出されたケーブル１５を介して、制御部と電気的に接続されている。これにより、制御部からの制御信号によって、インクの吐出動作が制御されるようになっている。
インク吐出機構としては、周知のいかなるインク吐出機構を採用してもよく、例えば、ピエゾ素子を用いたインク吐出機構などを好適に採用することができる。
【００２６】
インクとしては、描画の目的によって適宜のインクを用いることができる。本実施形態では、配線１４を描画するため金属ナノインクを用いている。金属ナノインクは、ナノサイズの金属粒子の表面を分散剤で覆い、溶媒に分散させたものである。
金属ナノインクに用いる金属粒子の種類としては、銀、金、銅、パラジウム、ニッケルなどを挙げることができる。また、溶媒の種類としては、高沸点溶媒や水を挙げることができる。
金属粒子と溶媒の構成比は、インクジェット方式で吐出する場合、溶媒が７０重量％〜９０重量％含まれることが好ましい。
【００２７】
ヘッド固定カートリッジ５ｄの形状は、全体として、インクジェットヘッド本体５ａよりわずかに大きい直方体状である。ヘッド固定カートリッジ５ｄの１つの側面には、衝撃吸収部材４の端部に連結するための雄ネジ部５ｅが外側に向かって突設されている。雄ネジ部５ｅが設けられた側面に隣接する１つの側面には、インクジェットヘッド本体５ａを着脱するための開口部５ｆが設けられ、雄ネジ部５ｅが設けられた側面に対向する側面側には、ヘッド固定カートリッジ５ｄに装着されたインクジェットヘッド本体５ａのインク吐出口５ｃから吐出させるインクを通過させる開口部５ｇが設けられている。
そして、このような構成のヘッド固定カートリッジ５ｄに対し、インクジェットヘッド本体５ａは、開口部５ｇの内側にインク吐出口５ｃが対向し、開口部５ｆからインク供給部５ｂおよびケーブル１５が側方に延出される位置関係に取り付けられている。
【００２８】
本実施形態の衝撃吸収部材４は、図５（ａ）に示すように、内部に貫通する孔部４ａを備える真直の管部材からなり、孔部４ａの端部にそれぞれ雌ネジ部４ｂ、４ｃが設けられている。
雌ネジ部４ｂは、門型支柱３の梁部３ｃの下端側から鉛直方向下向きに突設された雄ネジ部３ｄと螺合して、衝撃吸収部材４を梁部３ｃに着脱可能に固定するものである。
衝撃吸収部材４が、梁部３ｃに固定された状態では、雌ネジ部４ｂが設けられた衝撃吸収部材４の端部と梁部３ｃの下面とが当接されて、上下方向に位置決めして固定される。
また、雌ネジ部４ｃは、インクジェットヘッド５の側面に突設された雄ネジ部５ｅと螺合して、インクジェットヘッド５を着脱可能に固定するものである。
衝撃吸収部材４が、インクジェットヘッド５に固定された状態では、雌ネジ部４ｃが設けられた衝撃吸収部材４の端部とインクジェットヘッド５の雄ネジ部５ｅが設けられた側面とが当接されて、上下方向に位置決めして固定される。
このように、梁部３ｃ、衝撃吸収部材４、およびインクジェットヘッド５が互いに固定されると、インクジェットヘッド５は、梁部３ｃから鉛直下方に延ばされた衝撃吸収部材４を介して、梁部３ｃの下面から一定距離だけ離間された位置に固定される。
すなわち、ワーク保持部１２に保持されて移動されるワーク１３から見ると、インクジェットヘッド５は、ワーク１３に対して相対移動可能に設けられた相対移動部である梁部３ｃに衝撃吸収部材４を介して連結されている。
【００２９】
衝撃吸収部材４の材質としては、塑性変形が容易なアルミニウム合金を採用している。衝撃吸収部材４の管長、管径および肉厚は、インクジェットヘッド５がワーク１３に衝突した場合に、衝撃吸収部材４が塑性変形することで、インクジェットヘッド５に作用する衝撃力を吸収できるような寸法とされる。このような寸法は、実験や計算などを行って決めることができる。
衝撃力を効率的に吸収するには、衝撃吸収部材４に発生する応力で塑性変形が起こりやすくなる寸法とすればよい。管長は長いほど、管径は細いほど、肉厚は薄いほど、より小さな衝撃力で塑性変形を起こすことができる。
【００３０】
次に、本実施形態のインクジェット装置１の動作をインクジェットヘッドの取付構造の作用とともに説明する。
図６（ａ）、（ｂ）は、本発明の第１の実施形態に係るインクジェットヘッドの取付構造を備えるインクジェット装置１の動作を順次説明する動作説明図である。図７（ｃ）、（ｄ）は、図６（ｂ）に続く動作を順次説明する動作説明図である。
【００３１】
本実施形態では、金属ナノインクによって、飛翔径が、例えば、２０μｍ程度となるインク吐出を行い、インクジェットヘッド５とワーク１３とを相対移動させて、ワーク１３の表面に描画を行う。このようなインク液滴によりワーク１３上で安定したドットを形成するため、本実施形態では、インクジェットヘッド５のインク吐出口５ｃとワーク１３との間の距離が一定値、例えば、約２ｍｍとなるように相対移動を行う。
まず、制御部では、予め入力されたワーク１３の外形の情報から、配線１４を描画するための移動経路Ｐのデータを作成する。
本実施形態の移動経路Ｐは、図６（ａ）に２点鎖線で示すように、ワーク１３の表面から約２ｍｍだけ平行に離間された略Ｓ字状の経路となる。平面視の移動経路Ｐは、特に図示しないが、配線１４の線幅が描画されるように、同様の移動経路Ｐを図示の紙面奥行き方向にずらして往復走査をさせればよい。
【００３２】
このような移動経路Ｐに沿って相対移動を行うため、制御部は、Ｘ軸移動ステージ６、Ｙ軸移動ステージ７、Ｚ軸移動ステージ１０、および回転ステージ１１の移動量、回転量を調整して、図６（ａ）に示すように、ワーク保持部１２に保持されたワーク１３の平面部１３ａが、ＸＹ平面と平行となるようにワーク１３を移動する。そして、平面部１３ａの端部を、インク吐出口５ｃを有するインクジェットヘッド５の下端面から約２ｍｍ下方に位置させる。
この状態で、Ｘ軸移動ステージ６を図示矢印ａ方向（Ｘ軸正方向）に移動させつつ、インクジェットヘッド５からインクを吐出させる。これにより、配線１４が順次平面部１３ａ上に描画される。
【００３３】
図６（ｂ）に示すように、インクジェットヘッド５の下方に屈曲部１３ｂがさしかかると、制御部は回転ステージ１１を図示時計回りの矢印ｂ方向に回転させつつ、Ｘ軸移動ステージ６およびＺ軸移動ステージ１０を協調動作させ、インクジェットヘッド５の相対移動軌跡が移動経路Ｐの曲線部分に沿うように相対移動させる。
そして、回転ステージ１１を９０度回転させると、図７（ｃ）に示すように、平面部１３ｃがＸＹ平面と平行となる。この状態で、図示矢印ｃ方向（Ｘ軸正方向）に移動させる。
こうして、インクジェットヘッド５が屈曲部１３ｄにさしかかると、図７（ｄ）に示すように、制御部は回転ステージ１１を図示反時計回りの矢印ｄ方向に回転させつつ、Ｘ軸移動ステージ６およびＺ軸移動ステージ１０を協調動作させ、インクジェットヘッド５の相対移動軌跡が移動経路Ｐの曲線部分に沿うように相対移動させる。
そして、回転ステージ１１を９０度回転させると、平面部１３ｅがＸＹ平面と平行となる。この状態で、さらにＸ軸正方向に移動させ、平面部１３ｅの端部で停止させる。
次に、Ｙ軸移動ステージ７を駆動して、ワーク１３をＹ軸方向にずらして、上記と逆方向に描画を行い、これを適宜回数繰り返す。これにより、ワーク１３上に、配線１４が描画される。
【００３４】
しかしながら、例えば、屈曲部１３ｂ、１３ｄの近傍の動作において、例えば、ワーク１３の立体形状などにより各ステージの移動方向にかかる負荷が複雑に変化するため、Ｘ軸移動ステージ６、Ｚ軸移動ステージ１０、および回転ステージ１１のそれぞれの応答速度にバラツキが生じる場合がある。このような場合、インクジェットヘッド５の相対移動軌跡が、移動経路Ｐからずれてしまうおそれがある。また、各ステージ間の協調動作が正確でインクジェットヘッド５が移動経路Ｐ上を正確に移動された場合でも、ワーク１３の製作誤差やワーク保持部１２に対するワーク１３の把持誤差が大きいと、ワーク１３の表面に対するインクジェットヘッド５の対向距離に誤差が生じ、相対的には、インクジェットヘッド５の移動経路Ｐから外れたのと同じことになる。
これらの場合、本実施形態では、ワーク１３とインクジェットヘッド５との間の距離が、約２ｍｍと小さく、インクジェットヘッド５が移動方向にある程度の外形幅を有することを考えると、例えば、図７（ｄ）に示すように、移動経路ＰがＶ字状に変化する屈曲部１３ｄ上を移動する際などには、インクジェットヘッド５とワーク１３とが衝突を起こす可能性がある。
【００３５】
本実施形態では、このような衝突が発生した場合、インクジェットヘッド５にワーク１３から作用する衝撃力を衝撃吸収部材４が塑性変形することによって吸収することができる。
例えば、図５（ｂ）に示すように、ワーク１３が、インクジェットヘッド５に向かって移動方向Ｍに沿って移動してインクジェットヘッド５に衝突する場合、衝撃吸収部材４に塑性変形部４ｄが発生して衝突のエネルギーが散逸されるとともに、衝撃吸収部材４が屈曲され、インクジェットヘッド５が衝撃力と同様の方向に移動される。このため、衝撃力が吸収される。
衝撃吸収部材４は、塑性変形部４ｄにおいて破損されるものの、インクジェットヘッド５、ワーク１３、および梁部３ｃは使用不可能となるような破損を免れ、損傷もされにくくなる。
このため、操作者は、インクジェット装置１の動作を停止し、梁部３ｃおよびインクジェットヘッド５から、衝撃吸収部材４を取り外し、衝撃吸収部材４を交換することで、ワーク１３への描画を継続して行うことができる。
【００３６】
このようにインクジェット装置１では、インクジェットヘッド５が衝撃吸収部材４を介して梁部３ｃに連結されているため、衝撃吸収部材４によってインクジェットヘッド５に作用する衝撃力が吸収され、インクジェットヘッド５とワーク１３とが衝突した場合でも、インクジェットヘッド５やワーク１３が損傷されにくくなる。
【００３７】
なお、図５（ｂ）は模式図のため、塑性変形部４ｄが、衝撃吸収部材４の長手方向の中間部に局部的に発生するように描いているが、塑性変形部４ｄは、図示のように局部的に発生してもよいし、より広い領域に発生してもよい。雌ネジ部４ｂ、４ｃが、雄ネジ部３ｄ、５ｅから外せなくなるおそれがなければ、塑性変形部４ｄは、衝撃吸収部材４の全体にわたって発生するようにしてもよい。
【００３８】
次に、本実施形態の変形例について説明する。
図８は、本発明の第１の実施形態の変形例に係るインクジェットヘッドの取付構造に用いる衝撃吸収部材の取付形態を示す模式的な正面図および衝撃吸収時の様子を示す模式的な正面図である。
【００３９】
本変形例は、図８（ａ）に示すように、上記第１の実施形態の衝撃吸収部材４に代えて衝撃吸収部材４０を備える。以下、上記第１の実施形態と異なる点を中心に説明する。
衝撃吸収部材４０は、衝撃吸収部材４の長手方向の中間部の外周を周回する形状の溝部４０ａを追加し、衝撃吸収部材４０の強度が、溝部４０ａにおいて相対的に弱くなるようにしたものである。
【００４０】
本変形例によれば、インクジェットヘッド５とワーク１３とが衝突した場合、図８（ｂ）に示すように、塑性変形部４ｄが、相対的に低強度の溝部４０ａから発生する。
このため、溝部４０ａは、衝撃吸収部材４０の一定位置で衝撃力を吸収する衝撃吸収部を構成している。
このように、溝部４０ａから塑性変形するようにしているため、衝撃力が大きい場合でも、溝部４０ａから離れた雌ネジ部４ｂ、４ｃに塑性変形部４ｄの影響が及びにくくなる。そのため、塑性変形後の衝撃吸収部材４０を梁部３ｃおよびインクジェットヘッド５から取り外しやすくなる。
また、衝撃吸収部材４０は、衝突後に、溝部４０ａを中心としてく字状に屈曲するので、衝突後の変形を容易に予測できる。このため、インクジェットヘッド５が不測の方向に変形して、インクジェット装置１内の他の装置部分に２次的な衝突を起こすといった事故を防止することが容易となる。
【００４１】
このような衝撃吸収部は、相対的な強度を低減できればよいので、溝部４０ａには限定されない。例えば、衝撃吸収部材４の管外径を一定位置で縮径したり、衝撃吸収部材４の肉厚を一定位置で相対的に薄肉にしたり、衝撃吸収部材４の一定位置の側面に切欠き孔を設けて管断面積が相対的に小さい部分を設けたりしてもよい。
また、衝撃吸収部材４を強度の異なる材料を組み合わせて、一定位置に相対的に低強度の材料を配置してもよい。
また、衝撃吸収部は、周方向に均一に形成するものには限定されない、例えば、衝撃吸収部材４の側面の一方のみにＶ字溝などを設けてもよい。この場合、衝撃力の方向がある程度変化しても、衝撃吸収部材４が変形しやすい方向が規制されるため、より、変形後の形状がさらに予測しやすくなる。
【００４２】
［第２の実施形態］
本発明の第２の実施形態に係るインクジェットヘッドの取付構造について説明する。
図９（ａ）、（ｂ）は、本発明の第２の実施形態に係るインクジェットヘッドの取付構造に用いる衝撃吸収部材の取付形態を示す模式的な正面図、および衝撃吸収時の様子を示す模式的な正面図である。
【００４３】
本実施形態のインクジェットヘッドの取付構造は、図９（ａ）に示すように、上記第１の実施形態の衝撃吸収部材４に代えて、衝撃吸収部材４１を備え、上記第１の実施形態と同様に、インクジェット装置１に好適に用いることができるものである。以下では、上記第１の実施形態と異なる点を中心に説明する。
【００４４】
衝撃吸収部材４１は、基端側で梁部３ｃに着脱可能に固定された棒状の固定部材４１Ａと、基端側でインクジェットヘッド５に着脱可能に固定された棒状の移動部材４１Ｂとが、それぞれの先端部を構成する磁気吸着部４１ａ、４１ｂにおいて、磁力によって吸着されたものである。
本実施形態では、固定部材４１Ａ、移動部材４１Ｂは衝突時に変形させる必要はないので、固定部材４１Ａ、移動部材４１Ｂの形状は管状でも中実棒状でもよく、強度、外径や長さにも特に制限はない。
本実施形態では、磁気吸着部４１ａ、４１ｂは、互いの吸着面が水平方向に配置された円板形状を有する。
【００４５】
また、磁気吸着部４１ａ、４１ｂは、少なくともいずれかが、磁石または着磁された金属部材からなる。すなわち、磁気吸着部４１ａ、４１ｂの一方が磁石または着磁された金属部材からなり他方が磁性体からなる構成であってもよいし、磁気吸着部４１ａ、４１ｂの両方が磁石または着磁された金属部材であってもよい。
磁気吸着部４１ａ、４１ｂの間の吸着力は、インクジェットヘッド５がワーク１３に衝突した場合の衝撃力によって、磁気吸着部４１ａ、４１ｂが互いに吸着面に沿って相対移動できる程度の吸着力に設定しておく。
【００４６】
本実施形態によれば、例えば、ワーク１３が移動方向Ｍに沿って移動し、インクジェットヘッド５に衝突した場合、図９（ｂ）に示すように、インクジェットヘッド５に衝撃力が作用すると、移動部材４１Ｂの磁気吸着部４１ｂが、固定部材４１Ａの磁気吸着部４１ａに対して、吸着面に沿って移動する。これにより、衝撃力が吸収される。
このため、インクジェットヘッド５、ワーク１３、および梁部３ｃは使用不可能となるような破損を免れ、損傷もされにくくなる。
一方、衝撃吸収部材４１は、固定部材４１Ａと移動部材４１Ｂとの相対位置が変化するものの、吸着位置が変化するだけである。このため、操作者は、インクジェット装置１の動作を停止させて、固定部材４１Ａおよび移動部材４１Ｂの互いの吸着位置を元に戻すことで、梁部３ｃおよびインクジェットヘッド５から固定部材４１Ａおよび移動部材４１Ｂを取り外したり交換したりすることなく、固定部材４１Ａおよび移動部材４１Ｂを繰り返し再使用することができる。
【００４７】
なお、磁気吸着部４１ａ、４１ｂの形状、配置方向は、一例であって、円板以外の形状であってもよいし、水平方向と異なる方向に傾斜して配置されていてもよい。
ワーク１３の形状などによって、衝撃力が発生しやすい方向が予め分かっている場合には、吸着面は、衝撃力が発生しやすい方向に沿って配置すればよい。
例えば、図９（ｂ）のように、インクジェットヘッド５が、ワーク１３の凸部に乗り上げる可能性が高いと分かっている場合には、インクジェットヘッド５には、図示斜め右上方向の衝撃力が作用するから、吸着面の傾斜方向を図示右斜め上方向に合わせることが好ましい。
【００４８】
次に、本実施形態の変形例について説明する。
図１０（ａ）、（ｂ）は、本発明の第２の実施形態の変形例に係るインクジェットヘッドの取付構造に用いる衝撃吸収部材の取付形態を示す模式的な正面図、および衝撃吸収時の様子を示す模式的な正面図である。
【００４９】
本変形例は、図１０（ａ）に示すように、上記第１の実施形態の衝撃吸収部材４に代えて衝撃吸収部材４２を備える。以下、上記第１の実施形態と異なる点を中心に説明する。
衝撃吸収部材４２は、基端側で梁部３ｃに着脱可能に固定された棒状の固定部材４２Ａと、基端側でインクジェットヘッド５に着脱可能に固定された棒状の移動部材４２Ｂとが、それぞれの先端部を構成する磁気吸着部４２ａ、４２ｂにおいて、磁力によって吸着されたものである。
本変形例では、磁気吸着部４２ａ、４２ｂは、互いの吸着面が凸球状とされている。
また、磁気吸着部４２ａ、４２ｂは、少なくともいずれかが、磁石または着磁された金属部材からなる。
【００５０】
本変形例によれば、例えば、ワーク１３が移動方向Ｍに沿って移動し、インクジェットヘッド５に衝突した場合、図１０（ｂ）に示すように、インクジェットヘッド５に衝撃力が作用すると、移動部材４２Ｂの磁気吸着部４２ｂが、固定部材４２Ａの磁気吸着部４２ａの球状の吸着面に沿って移動され、移動部材４２Ｂが、固定部材４２Ａの磁気吸着部４２ａ回りに回動され、この結果、衝撃力が吸収される。
このため、インクジェットヘッド５、ワーク１３、および梁部３ｃは使用不可能となるような破損を免れ、損傷もされにくくなる。
一方、衝撃吸収部材４２は、上記第１の実施形態と同様に、固定部材４２Ａと移動部材４２Ｂとの相対位置が変化するものの、吸着位置が変化するだけである。このため、操作者は、インクジェット装置１の動作を停止させて、固定部材４２Ａおよび移動部材４２Ｂの互いの吸着位置を元に戻すことで、梁部３ｃおよびインクジェットヘッド５から固定部材４２Ａおよび移動部材４２Ｂを取り外したり交換したりすることなく、固定部材４２Ａおよび移動部材４２Ｂを繰り返し再使用することができる。
【００５１】
また、本変形例では、吸着面が凸球面同士の吸着となっているため、上記第１の実施形態の平面同士の吸着の場合に比べて、吸着面上での移動自由度が大きい。このため、衝撃力が、吸着箇所の回りのモーメントとして作用する限りでは、どのような方向から作用しても、吸着力の大きさにあまりよらずに、移動部材４２Ｂが吸着面に沿って移動することができる。
このため、衝突が起こっても、移動部材４２Ｂが、固定部材４２Ａから外れにくいように、十分大きな吸着力に設定することができる。
【００５２】
本変形例は、固定部材および移動部材の先端部の吸着面の形状が、平面以外の場合の例となっている。このように、第２の実施形態において固定部材および移動部材の先端部の吸着面の形状は、種々の形状を採用することができる。
例えば、固定部材および移動部材の先端部の形状は、凸球面および平面の組合せとしてもよいし、曲率半径が等しい凹球面および凸球面同士による球面嵌合の組合せとしてもよい。
【００５３】
［第３の実施形態］
本発明の第３の実施形態に係るインクジェットヘッドの取付構造について説明する。
図１１（ａ）、（ｂ）は、本発明の第３の実施形態に係るインクジェットヘッドの取付構造に用いる衝撃吸収部材の取付形態を示す模式的な正面図、および衝撃吸収時の様子を示す模式的な正面図である。
【００５４】
本実施形態のインクジェットヘッドの取付構造は、図１１（ａ）に示すように、上記第１の実施形態の衝撃吸収部材４に代えて、衝撃吸収部材４３を備え、上記第１の実施形態と同様に、インクジェット装置１に好適に用いることができるものである。以下では、上記第１の実施形態と異なる点を中心に説明する。
【００５５】
衝撃吸収部材４３は、基端側で梁部３ｃに着脱可能に固定された棒状の固定部材４３Ａと、基端側でインクジェットヘッド５に着脱可能に固定された棒状の移動部材４３Ｂとが、それぞれの先端部を構成する吸着パッド部４３ａ、４３ｂにおいて、エア吸着によって吸着されたものである。
固定部材４３Ａ（移動部材４３Ｂ）には、不図示のエア吸引ポンプによって、吸着パッド部４３ａ（吸着パッド部４３ｂ）の内部のエアを吸引するための吸引口４３ｃ（吸引口４３ｄ）が設けられ、固定部材４３Ａ（移動部材４３Ｂ）の内部には、吸引口４３ｃ（吸引口４３ｄ）から吸着パッド部４３ａ（吸着パッド部４３ｂ）の内部に連通する不図示の管路が形成されている。
吸着パッド部４３ａ、４３ｂは、扁平な椀型部材からなり、それぞれの開口を当接させることで、内部の気密性が保たれるようになっている。
【００５６】
このため、図１１（ａ）に示すように、それぞれの開口で当接させた状態で、吸引口４３ｃ、４３ｄから、エア吸引を行うことで、吸着パッド部４３ａ、４３ｂを互いにエア吸着させることができる。
このとき、エア吸引ポンプの吸引力を調整することで、吸着パッド部４３ａ、４３ｂの間の吸着力を変えることができる。
吸着パッド部４３ａ、４３ｂの間の吸着力は、インクジェットヘッド５がワーク１３に衝突した場合の衝撃力によって、吸着パッド部４３ａ、４３ｂの当接状態が解除される大きさに設定しておく。
【００５７】
本実施形態によれば、例えば、ワーク１３が移動方向Ｍに沿って移動し、インクジェットヘッド５に衝突した場合、図１１（ｂ）に示すように、インクジェットヘッド５に衝撃力が作用すると、移動部材４３Ｂの吸着パッド部４３ｂが、固定部材４３Ａの吸着パッド部４３ａから離間し、これにより、互いの吸着力が失われることで、移動部材４３Ｂが自由に運動できるようになる。この結果、衝撃力が吸収される。
このため、インクジェットヘッド５、ワーク１３、および梁部３ｃは使用不可能となるような破損を免れ、損傷もされにくくなる。
吸着パッド部４３ａから外れた移動部材４３Ｂは、再度、吸着パッド部４３ａ、４３ｂ同士を当接させた状態で、互いにエア吸着させることで、衝突前の状態に戻すことができる。
このため、操作者は、インクジェット装置１の動作を停止させて、吸着パッド部４３ａ、４３ｂ同士を当接させ、移動部材４３Ｂを固定部材４３Ａに再度吸着させることで、梁部３ｃおよびインクジェットヘッド５から固定部材４３Ａおよび移動部材４３Ｂを取り外したり交換したりすることなく、固定部材４３Ａおよび移動部材４３Ｂを繰り返し再使用することができる。
【００５８】
本実施形態では、移動部材４３Ｂに固定されたインクジェットヘッド５は、ケーブル１５によって、インクジェット装置１の装置本体と連結されているため、衝撃力が作用して、吸着力が失われた場合は、ケーブル１５のたるみの範囲で落下し、ケーブル１５で空中に吊り下がるようになっている。
ただし、移動部材４３Ｂの落下時にインクジェットヘッド５が他の部材と衝突するのを確実に防止するためには、移動部材４３Ｂの落下時に移動部材４３Ｂが梁部３ｃから中空に吊り下げられるように、梁部３ｃに一端が固定された複数の補助ケーブルの他端側を移動部材４３Ｂに取り付けるようにしてもよい。
［第４の実施形態］
本発明の第４の実施形態に係るインクジェットヘッドの取付構造について説明する。
図１２（ａ）、（ｂ）は、本発明の第４の実施形態に係るインクジェットヘッドの取付構造に用いる衝撃吸収部材の取付形態を示す模式的な正面図、および衝撃吸収時の様子を示す模式的な正面図である。
【００５９】
本実施形態のインクジェットヘッドの取付構造は、図１２（ａ）に示すように、上記第１の実施形態の衝撃吸収部材４に代えて、衝撃吸収部材４４を備え、上記第１の実施形態と同様に、インクジェット装置１に好適に用いることができるものである。以下では、上記第１の実施形態と異なる点を中心に説明する。
【００６０】
衝撃吸収部材４４は、インクジェットヘッド５がワーク１３に衝突した場合の衝撃力の作用で容易に弾性変形することにより衝撃力を吸収する棒状部材であり、端部が、梁部３ｃおよびインクジェットヘッド５にそれぞれ着脱可能に連結されている。
衝撃吸収部材４４の材質としては、例えば、ゴム、エラストマー、合成樹脂などを採用することができる。
【００６１】
本実施形態によれば、例えば、ワーク１３が移動方向Ｍに沿って移動し、インクジェットヘッド５に衝突した場合、図１２（ｂ）に示すように、インクジェットヘッド５に衝撃力が作用すると、衝撃吸収部材４４が弾性変形して、屈曲され、衝撃力が吸収される。
このため、インクジェットヘッド５、ワーク１３、および梁部３ｃは使用不可能となるような破損を免れ、損傷もされにくくなる。
衝撃吸収部材４４は、弾性変形しているため、操作者がインクジェット装置１の動作を停止させて、衝突状態を解除すれば、衝撃吸収部材４が元の位置に戻るので、梁部３ｃおよびインクジェットヘッド５から衝撃吸収部材４４を取り外したり交換したりすることなく、衝撃吸収部材４４を繰り返し再使用することができる。
【００６２】
衝撃吸収部材４４は、例えば、均一の材質、形状に構成して、弾性変形が、衝撃吸収部材４４の全体に起こるようにしてもよいし、例えば、材質や断面形状を変えて、長手方向の一定の領域が低剛性となる構成とし、部品本体の一定位置に衝撃力を吸収する衝撃吸収部を設けるようにしてもよい。
この場合、衝撃吸収部材４４は、衝突後に、衝撃吸収部を中心としてく字状に屈曲するので、衝突後の変形を容易に予測できる。このため、インクジェットヘッド５が不測の方向に変形して、インクジェット装置１内の他の装置部分に２次的な衝突を起こすといった事故を防止することが容易となる。
【００６３】
なお、上記の説明では、相対移動部が固定され、印刷対象物が移動される場合の例で説明した。この場合、相対移動部に連結された衝撃吸収部材およびインクジェットヘッドも固定されているため、衝撃吸収部材は、相対移動部が移動することにより発生する慣性力に耐える強度を有する必要がない。このため、衝撃吸収部材の強度や吸着力を小さく設定できるため、衝突による衝撃力が小さい場合でも、衝撃力を吸収することが可能となる。
ただし、移動によって衝撃吸収部材が受ける慣性力が小さい場合は、インクジェットヘッドの許容できる衝撃力が大きい場合には、印刷対象物が固定され、相対移動部が移動するような相対移動を行う構成としてもよい。
【００６４】
また、上記第１の実施形態の説明では、衝撃吸収部材４を管状部材として説明したが、衝撃力によって塑性変形を起こして、衝撃力を吸収できる場合には、例えば、円柱状、角柱状の中実棒から構成してもよい。
また、衝撃吸収部材４の管形状は、円管状であってもよいし、多角形断面を有する管状であってもよい。
【００６５】
また、上記第３の実施形態の説明では、固定部材および移動部材でエア吸引を行う場合の例で説明したが、エア吸引は一方の吸着パッド部のみで行い、他方の吸着パッド部は、一方の吸着パッド部の開口を塞いで吸着されるだけの構成としてもよい。
【００６６】
また、上記の第２および第３の実施形態では、磁力またはエア吸着によって、固定部材および移動部材の先端部が吸着される場合の例で説明したが、吸着手段はこれに限定されない。例えば、静電吸着で吸着されていてもよい。また、各先端部に粘着材を設けて吸着させてもよい。
【００６７】
また、上記の第３の実施形態では、衝撃吸収部材が予め互いにエア吸着されて一体化された２体から構成され、衝撃力を受けると固定部材と移動部材とに分割されて、衝撃力を吸収する場合の例を説明したが、衝撃吸収部材が１体であっても、衝撃力によって破損されることで２体に分裂すれば、上記第３の実施形態と同様に衝撃力を吸収することができる。したがって、衝撃吸収部材として、衝撃力によって容易に折れてしまう脆さを有する部材を用いる構成としてもよい。
【００６８】
また、上記の各実施形態、各変形例に説明したすべての構成要素は、本発明の技術的思想の範囲で適宜組み合わせて実施することができる。
【符号の説明】
【００６９】
１  インクジェット装置
３  門型支柱
３ｃ  梁部（相対移動部）
４、４０、４１、４２、４３、４４  衝撃吸収部材
４ｄ  塑性変形部
５  インクジェットヘッド
５ａ  インクジェットヘッド本体
５ｃ  インク吐出口
６  Ｘ軸移動ステージ
７  Ｙ軸移動ステージ
１０  Ｚ軸移動ステージ
１１  回転ステージ
１２  ワーク保持部
１３  ワーク（印刷対象物）
１４  配線
４０ａ  溝部（衝撃吸収部）
４１Ａ、４２Ａ、４３Ａ  固定部材
４１Ｂ、４２Ｂ、４３Ｂ  移動部材
４１ａ、４１ｂ、４２ａ、４２ｂ  磁気吸着部
４３ａ、４３ｂ  吸着パッド部
Ｐ  移動経路
【図１】
2011062589.tif 000003
【図２】
2011062589.tif 000004
【図３】
2011062589.tif 000005
【図４】
2011062589.tif 000006
【図５】
2011062589.tif 000007
【図６】
2011062589.tif 000008
【図７】
2011062589.tif 000009
【図８】
2011062589.tif 000010
【図９】
2011062589.tif 000011
【図１０】
2011062589.tif 000012
【図１１】
2011062589.tif 000013
【図１２】
2011062589.tif 000014